(57)【特許請求の範囲】
【請求項１】
断熱壁の開口縁に立設された透明板と、前記断熱壁の開口縁外側に取り付けられたバンパーとを備えて成るショーケースにおいて、
前記断熱壁の開口縁に取り付けられ、前記透明板の外面に当接して保持する保持板と、前記バンパーに形成された長手方向に渡る凹溝と、この凹溝を開閉可能に閉塞するカバー部材とを備え、前記バンパーを前記保持板に被せると共に、前記凹溝内において前記保持板にバンパーをネジ止めしたことを特徴とするショーケース。
【請求項２】
保持板は、透明板の外面に当接する保持辺と、この保持辺の上端から外側にクランク状に屈曲された上係合辺と、前記保持辺の下端から断熱壁の外方まで延在する連結辺と、この連結辺の先端から降下する取付辺と、この取付辺の下端から再び前記断熱壁側に屈曲され、当該断熱壁外面に当接する当接辺とを備えると共に、バンパーは、前記上係合辺に上方から係合する上係合部と、前記連結辺の外端上面に当接する下支持部とを備え、凹溝の底壁外面が前記取付辺に当接してネジ止めされることを特徴とする請求項１のショーケース。
【発明の詳細な説明】
【０００１】
【発明の属する技術分野】
本発明は、例えばスーパーマーケットやコンビニエンスストアなどの店内に据え付けられ、食品などの商品を陳列保存する低温ショーケースなどのショーケースに関するものである。
【０００２】
【従来の技術】
従来のこの種ショーケースは、例えば特公平８−８８８６号公報に示される如く上面に開口を有する断熱壁にて構成されており、この断熱壁の開口縁の各辺には二重ガラス板などから成る透明板が立設されている。そして、この透明板の外側の開口縁には、バンパーを取り付け、ショッピングカートなどの衝突から断熱壁や透明板を保護していた。
【０００３】
【発明が解決しようとする課題】
しかしながら、従来のバンパーは前記公報の第８図にも示されるように、透明板と組み合わせて断熱壁に取り付けられており、透明板の保持も兼ねる構造とされていたため、バンパーが変形・破損した際などの交換を行う場合には、透明板などを断熱壁から取り外さなければならず、メンテナンス作業性を悪化させていた。
【０００４】
また、このことはショーケースの生産時の組立工程においても同様に云えることであり、生産性が悪く、改善が望まれていた。
【０００５】
本発明は係る従来の技術的課題を解決するために成されたものであり、ショーケースに取り付けられるバンパーのメンテナンスや組立時の作業性を改善することを目的とするものである。
【０００６】
【課題を解決するための手段】
本発明のショーケースは、断熱壁の開口縁に立設された透明板と、断熱壁の開口縁外側に取り付けられたバンパーとを備えて成るものであって、断熱壁の開口縁に取り付けられ、透明板の外面に当接して保持する保持板と、バンパーに形成された長手方向に渡る凹溝と、この凹溝を開閉可能に閉塞するカバー部材とを備え、バンパーを保持板に被せると共に、凹溝内において保持板にバンパーをネジ止めしたことを特徴とする。
【０００７】
本発明によれば、断熱壁の開口縁に立設された透明板と、断熱壁の開口縁外側に取り付けられたバンパーとを備えて成るショーケースにおいて、断熱壁の開口縁に取り付けられ、透明板の外面に当接して保持する保持板と、バンパーに形成された長手方向に渡る凹溝と、この凹溝を開閉可能に閉塞するカバー部材とを設け、バンパーを保持板に被せると共に、凹溝内において保持板にバンパーをネジ止めしたので、透明板は保持板により断熱壁に立設され、バンパーは単独で保持板に取り付け・取り外しが可能となる。
【０００８】
これにより、バンパーの交換などのメンテナンス作業性や生産時の組立作業性を著しく改善することが可能となる。また、保持板はバンパーにて覆われると共に、バンパーは凹溝内にて保持板にネジ止めされ、且つ、この凹溝はカバー部材にて閉塞できるので、外観の悪化も生じないものである。
【０００９】
請求項２の発明のショーケースは、上記において保持板は、透明板の外面に当接する保持辺と、この保持辺の上端から外側にクランク状に屈曲された上係合辺と、保持辺の下端から断熱壁の外方まで延在する連結辺と、この連結辺の先端から降下する取付辺と、この取付辺の下端から再び断熱壁側に屈曲され、当該断熱壁外面に当接する当接辺とを備えると共に、バンパーは、上係合辺に上方から係合する上係合部と、連結辺の外端上面に当接する下支持部とを備え、凹溝の底壁外面が取付辺に当接してネジ止めされることを特徴とする。
【００１０】
請求項２の発明によれば、上記に加えて保持板は、透明板の外面に当接する保持辺と、この保持辺の上端から外側にクランク状に屈曲された上係合辺と、保持辺の下端から断熱壁の外方まで延在する連結辺と、この連結辺の先端から降下する取付辺と、この取付辺の下端から再び断熱壁側に屈曲され、当該断熱壁外面に当接する当接辺とを備えると共に、バンパーは、上係合辺に上方から係合する上係合部と、連結辺の外端上面に当接する下支持部とを備えており、凹溝の底壁外面を取付辺に当接させてネジ止めするようにしたので、バンパーの上係合部が保持板の上係合辺に係合し、且つ、バンパーの下支持部が保持板の連結辺の外端上面に当接することにより、バンパーは仮保持されることになる。
【００１１】
これにより、バンパーの凹溝底壁を取付辺にネジ止めする作業を極めて容易に行えるようになり、バンパーの取付作業性が一層改善されるものである。
【００１２】
【発明の実施の形態】
次に、図面に基づき本発明の実施形態を詳述する。図１は本発明の実施形態としての平型ショーケース１の側面図、図２は平型ショーケース１の断熱壁６の開口縁部の拡大断面図である。
【００１３】
図１において本発明のショーケース１は、スーパーマーケットなどの店舗に設置される所謂平型の低温ショーケースであり、図１に示す如く上方に向けて開口し、内部に上面開口の貯蔵室３が形成された断熱壁（断熱箱体）６にて本体が構成されている。この断熱壁６の下部には機械室７が構成されており、この機械室７内には貯蔵室３を冷却するための冷却装置を構成する図示しない圧縮機や凝縮器などが設置されている。
【００１４】
また、貯蔵室３の底部には、図示しないワイヤラック上に図示しないデックパンと称される所定面積の商品載置板が載置され、この下方に図示しないダクト（循環路）を形成すると共に、このダクト内に冷却装置の蒸発器と送風機が設けられ、この蒸発器にて冷却された冷気を送風機によって、開口の一方の縁部に形成した図示しない吐出口から対向する他方の縁部に形成した吸込口に向けて吐出している。これによって、貯蔵室３の開口にはエアーカーテンを形成しつつ、貯蔵室３内を所定の温度に冷却している。
【００１５】
一方、断熱壁６の開口縁の各辺外側には、バンパー５が取り付けられており、断熱壁６の外面下部にもバンパー９が取り付けられている。また、断熱壁６の開口縁の各辺には、二重ガラスなどから成る合計四枚の透明板４・・・が立設されている。そして、これら各辺の透明板４・・・が相互に付き合わされる断熱壁６のコーナー部にはコーナー支柱８が設けられている。また、断熱壁６の外面には外装パネル１０が取り付けられている。
【００１６】
次ぎに、図２において断熱壁６は発泡ポリウレタン製断熱材本体１１と、この断熱材本体１１の上端（開口端）に取り付けられた木材或いは成形断熱材などから成る上断熱材１２とから構成されており、この上断熱材１２の上面には前記透明板４の下端部が嵌合される凹溝１３が形成されている。また、この凹溝１３の貯蔵室３側には、透明板４の内面下部を保持する保持壁１４が上断熱材１２に形成されている。
【００１７】
また、１６は断熱材６の開口縁外側に取り付けられた鋼板製の保持板である。この保持板１６は鋼板の屈曲加工により、透明板４の外面下部に当接する保持辺１７と、この保持辺１７の上端から外側にクランク状に屈曲された上係合辺１８と、保持辺１７の下端から断熱壁６の外方まで延在する水平な連結辺１９と、この連結辺１９の先端から略垂直に降下する上取付辺２１と、この上取付辺２１の下端から再び略直角に内方に屈曲され、断熱壁６の上断熱材１２の外面に当接する当接辺２２と、この当接辺２２の下端から鋭角に屈曲され、上昇しながら断熱壁６より離間するよう起立する下取付辺２３とが形成されている。
【００１８】
そして、前記連結辺１９の保持辺１７側の部分が上断熱材１２の上面に当接してネジ２４にて固定され（図２）、当接辺２２もネジ２６にて上断熱材１２の外面に固定されている（図３）。この状態で、保持板１６の保持辺１７は上断熱材１２の保持壁１４と共に透明板４を内外から保持するものである。
【００１９】
また、前記上取付辺２１と下取付辺２３にはそれぞれネジ孔２７、２８が形成されている。更に、保持板１６の保持辺１７外面には電気ヒータＨが貼り付けられている。この電気ヒータＨは発熱して透明板４を加熱し、透明板４への結露を防止するものである。
【００２０】
一方、前記バンパー５は硬質合成樹脂の押出成型にて構成されており、図２に示す如く外側に向けて低く傾斜した上面３１と、この上面３１の上端から垂下する係合爪部３２Ａとその内側に離間して対向する略Ｌ字状の係合顎部３２Ｂとから構成された上係合部３２と、上面３１の外端から内方に凹陥して形成された長手方向に渡る凹溝３３と、この凹溝３３の開口下端から再び内方に向け斜めに降下する下面３４とを備えている。そして、前記上面３１には貯蔵室３内の温度を表示するための電気式の温度計Ｔが取り付けられている。
【００２１】
また、上記凹溝３３の開口内側には当該開口を狭めるように嵌合突起３６、３６が上下から一体に突出形成されていると共に、凹溝３３の底壁３３Ａの外面上部には下支持部３７が一体に突設されている。更に、この凹溝３３の底壁３３Ａにはネジ孔３８が穿設されている。
【００２２】
そして、４１はこの凹溝３３を閉塞するためのカバー部材である。このカバー部材４１は軟質或いは半硬質の合成樹脂にてストライプ状に押出成形されており、その内面には鈎状の嵌合爪４２、４２が長手方向に渡って一体に突設されている。
【００２３】
他方、前記外装パネル１０は塗装鋼板から構成されており、その上縁には外側斜め上方に屈曲された取付フランジ４３が折曲形成されている。そして、この取付フランジ４３にはネジ孔４４が穿設されている。
【００２４】
以上の構成で図３〜図５を参照して係るバンパー５と外装パネル１０の取付手順を説明する。尚、保持板１６は既に前述の如く断熱壁６に取り付けられており、透明板４は上断熱材１４と保持板１６により保持されているものとする。
【００２５】
そして、バンパー５を取り付ける際には、図３の上段に示す如くバンパー５を保持板１６に被せ、同図中段に示す如く上係合部３２の係合爪部３２Ａを、保持板１６の上係合辺１８と透明板４間に上から挿入する（図３中段）。次ぎに、そのままバンパー５を透明板４側に並行移動させれば、同図下段に示す如くやがて係合爪部３２Ａは透明板４の外面に当接すると共に、係合顎部３２Ｂは上係合辺１８の外面に当接する。これによって、上係合部３２は上係合辺１８に係脱自在に係合する。
【００２６】
また、この状態で上取付辺２１の外面には凹溝３３の底壁３３Ａの外面が当接し、そのネジ孔３８は上取付辺２１のネジ孔２７に合致している。更に、下支持部３７は保持板１６の連結辺１９の外端上面に当接している（図３下段）。従って、この状態でバンパー５は保持板１６に仮保持されたかたちとなる。
【００２７】
このように、バンパー５を保持板１６に仮保持した状態で、ネジ４６を凹溝３３内に挿入し、ネジ孔３８、２７に螺合させることにより、凹溝３３内においてバンパー５を保持板１６にネジ止めする（図４）。次ぎに、カバー部材４１の嵌合爪４２、４２をバンパー５の凹溝３３内に挿入し、嵌合突起３６、３６に嵌合爪４２、４２を嵌合させて図４に示す如く凹溝３３を開閉可能に閉塞する。
【００２８】
この状態では、バンパー５は下取付辺２３を除く保持板１６の略全域を被覆しているため、前方或いは上方からは保持板１６は見えなくなる。そして、バンパー５の下面３４は保持板１６の下取付辺２３と所定の間隔を存してその前下方に位置し、ラップしたかたちとなっている。
【００２９】
また、バンパー５の上面３１の下側には、保持板１６の保持辺１７と連結辺１９及び当該上面３１とで囲繞される断面略三角形の空間が構成されており、前記温度計Ｔの一部やその配線、電気ヒータＨやその配線などはこの空間内に収納されるかたちとなる。
【００３０】
ここで、従来電気ヒータはバンパーに貼り付けられており、バンパーを交換する際には、この電気ヒータも張り替える必要があったが、この場合には電気ヒータＨは保持板１６に貼り付けられているので、バンパー５の交換時にも電気ヒータＨを張り替える必要が無くなる。また、電気配線がバンパー５内の空間で行えるようになるので、配線作業も容易となる。
【００３１】
また、この状態でカバー部材４１の嵌合爪４２、４２はバンパー５の凹溝３３の底壁３３Ａに当接する（図２）。そして、嵌合爪４２、４２間は中空状態となる。従って、カバー部材４１に正面からカートなどが衝突しても、その衝撃はカバー部材４１の嵌合爪４２、４２とその中空形状によって吸収され、衝突荷重は保持されるので、破損が生じ難くなる。
【００３２】
次ぎに、外装パネル１０の取付フランジ４３を上記バンパー５の下面３４と保持板１６の下取付辺２３との間に図５中黒墨矢印の如く差し込み、図５中白抜き矢印の如く断熱壁６側に当てる。そして、取付フランジ４３のネジ孔４４を下取付辺２３のネジ孔２８に合致させ、斜め前下方からネジ４７をネジ孔４４、２８に螺合させて外装パネル１０を保持板１６に取り付ける（図５）。
【００３３】
この状態では、バンパー５の下面３４がネジ４７の前方にラップ（重複）するかたちとなるので、ネジ４７は下から覗き込む以外、前方からは見えなくなる。このように保持板１６及び外装パネル１０の取付部分（ネジ４７）はバンパー５によって覆われると共に、凹溝３３やその中のネジ４６もカバー部材３１にて覆われ、隠蔽されるので、ショーケース１の外観は向上する。
【００３４】
尚、上記実施例ではバンパー５を取り付けた後、外装パネル１０を取り付けたが、バンパー５よりも外装パネル１０を先に保持板１６に取り付けても差し支えない。
【００３５】
次ぎに、バンパー５或いは外装パネル１０を交換するために取り外す際には、前述の逆の作業で行えばよい。即ち、外装パネル１０を取り外す際には、バンパー５の下面３４と外装パネル１０間にドライバーを差し込んでネジ４７を外し、図５の矢印と反対の手順で外装パネル１０を取り外す。
【００３６】
また、バンパー５を取り外す際には、先ず、カバー部材４１をバンパー５の凹溝３３から引き剥がし、凹溝３３内にドライバーを差し込んでネジ４６を外す。そして、バンパー５を水平に手前に引けば、上係合部３２の係合顎部３２Ｂが上係合辺１８から外れるので、そのまま上に持ち上げれば係合爪部３２Ａも外れ、バンパー５は取り外せる。
【００３７】
このように、バンパー５や外装パネル１０は単独で取り付け・取り外しが可能であるので、生産時の組立作業性やメンテナンス時の作業性が著しく向上する。また、カバー部材４１に多数の傷が付いた場合にも、簡単に取り外して交換することができる。
【００３８】
尚、実施例では平型ショーケースに本発明を適用したが、前方に開口する断熱壁の開口下縁に透明板を立設した縦型ショーケースにも本発明は有効である。
【００３９】
【発明の効果】
以上詳述した如く本発明によれば、断熱壁の開口縁に立設された透明板と、断熱壁の開口縁外側に取り付けられたバンパーとを備えて成るショーケースにおいて、断熱壁の開口縁に取り付けられ、透明板の外面に当接して保持する保持板と、バンパーに形成された長手方向に渡る凹溝と、この凹溝を開閉可能に閉塞するカバー部材とを設け、バンパーを保持板に被せると共に、凹溝内において保持板にバンパーをネジ止めしたので、透明板は保持板により断熱壁に立設され、バンパーは単独で保持板に取り付け・取り外しが可能となる。
【００４０】
これにより、バンパーの交換などのメンテナンス作業性や生産時の組立作業性を著しく改善することが可能となる。また、保持板はバンパーにて覆われると共に、バンパーは凹溝内にて保持板にネジ止めされ、且つ、この凹溝はカバー部材にて閉塞できるので、外観の悪化も生じないものである。
【００４１】
請求項２の発明によれば、上記に加えて保持板は、透明板の外面に当接する保持辺と、この保持辺の上端から外側にクランク状に屈曲された上係合辺と、保持辺の下端から断熱壁の外方まで延在する連結辺と、この連結辺の先端から降下する取付辺と、この取付辺の下端から再び断熱壁側に屈曲され、当該断熱壁外面に当接する当接辺とを備えると共に、バンパーは、上係合辺に上方から係合する上係合部と、連結辺の外端上面に当接する下支持部とを備えており、凹溝の底壁外面を取付辺に当接させてネジ止めするようにしたので、バンパーの上係合部が保持板の上係合辺に係合し、且つ、バンパーの下支持部が保持板の連結辺の外端上面に当接することにより、バンパーは仮保持されることになる。
【００４２】
これにより、バンパーの凹溝底壁を取付辺にネジ止めする作業を極めて容易に行えるようになり、バンパーの取付作業性が一層改善されるものである。
【図面の簡単な説明】
【図１】本発明の実施例としての平型ショーケースの側面図である。
【図２】図１の平型ショーケースの断熱壁の開口縁部の拡大断面図である。
【図３】図１の平型ショーケースのバンパーの組み付け手順を説明する図である。
【図４】図１の平型ショーケースのバンパーの固定手順を説明する図である。
【図５】図１の平型ショーケースの外装パネルの取り付け手順を説明する図である。
【符号の説明】
１  平型ショーケース
４  透明板
５  バンパー
６  断熱壁
１０  外装パネル
１６  保持板
１７  保持辺
１８  上係合辺
１９  連結辺
２１  上取付辺（取付辺）
２２  当接辺
２３  下取付辺
３２  上係合部
３３  凹溝
３４  下面
４１  カバー部材
４３  取付フランジ
４６、４７  ネジ
【図１】
0003768022.tif 000002
【図２】
0003768022.tif 000003
【図３】
0003768022.tif 000004
【図４】
0003768022.tif 000005
【図５】
0003768022.tif 000006